(57)【要約】【課題】指向特性領域を拡張してパソコンに対して正確な信号入力が行われるようにして信頼性の向上を図る。【解決手段】使い勝手上パソコンと対向するとともに操作者の手等によって覆われることが無く比較的大きな領域を有する筐体の背面５全体を利用することによって、大きな長さを有するアンテナ素子６が搭載されることによって広い指向特性領域を以ってキー操作に基づく高周波信号を出力することから、各種信号の授受が正確に行われるようにする。【選択図】  図１
2005025250.tif 000002
【特許請求の範囲】
【請求項１】
無線入出力部とアンテナを備えてコンピュータに対してキー操作に基づく高周波信号を無線で出力するワイヤレスキーボード装置において、
筐体の背面に沿って長さ方向のほぼ全域に亘る長さを有するアンテナ素子を搭載したことを特徴とするワイヤレスキーボード装置。
【発明の詳細な説明】
【０００１】
【発明の属する技術分野】
本発明は、パーソナルコンピュータ（以下、パソコンと略称する。）等と近距離無線で接続され、キー操作に基づく文字や数字等の高周波信号をパソコンに無線出力するワイヤレスキーボード装置に関する。
【０００２】
【従来の技術】
キーボード装置は、例えばパソコンと接続され、文字、数字或いは記号等の入出力用端末機としてマウス等の他の周辺機器とともにパソコンシステムを構成する。パソコンシステムにおいては、一般にキーボード装置等の周辺機器がケーブルを介してパソコンと接続されて制御信号や情報信号の相互授受が行われるために、多くのケーブルが電源コード等とともに机上に錯綜して作業の邪魔になることが多い。
【０００３】
パソコンシステムにおいては、上述した問題点を解決するために、各種規格の無線によってパソコンと周辺機器とを接続して信号の相互授受を行うワイヤレス化が図られている。キーボード装置も、無線送受信部やベースバンド処理回路等を内蔵するとともにアンテナ素子が搭載されてワイヤレス化の対応が図られており、パソコンに対して各キーの押圧操作に基づく高周波信号（キー信号）を無線で出力する。キーボード装置は、必要に応じてパソコン側から適宜の制御信号等が送信されて動作制御も行われる。
【０００４】
従来のキーボード装置５０は、図３に示すように、使い勝手上パソコン本体と直接対向する位置でかつ使用中でも操作者の手等により覆われることが無い筐体背面５１の一部にアンテナ素子５２が配置されていた。キーボード装置５０は、キー操作を行うことによってキー信号を無線送受信部を介してアンテナ素子５２から空中へと放射し、このキー信号がパソコン側で受信されることによってキー入力が行われるうよにする。
【０００５】
【発明が解決しようとする課題】
ところで、キーボード装置５０は、所定の長さを有するアンテナ素子５２から図４に示すように所定の領域内において略四つ葉状の拡がりの指向特性を以ってキー信号を放射し、このキー信号が領域内に設置されたパソコン側のアンテナ素子５３によって受信されるようにする。従来のワイヤレスパソコンシステムにおいては、一般にパソコン側のアンテナ素子５３とキーボード装置５０側のアンテナ素子５２とが、送受信される高周波信号の搬送周波数に対して効率的に共振するいわゆるアンテナマッチングが図られるように、それぞれ同一長を以って構成されている。
【０００６】
従来のワイヤレスパソコンシステムにおいては、パソコンとキーボード装置５０との相対的な設置位置によって、キー信号等の送受信特性に影響が生じることがあった。すなわち、ワイヤレスパソコンシステムにおいては、パソコン側のアンテナ素子５３が図４のＡ位置に示すように指向特性領域内に存在する場合において、良好な受信特性を以ってキー信号等の受信が行われる。一方、ワイヤレスパソコンシステムにおいては、パソコン側のアンテナ素子５３が同図のＢ位置に示すように指向特性領域外に存在する場合において、受信感度が劣化することによりキー信号の一部欠損等の事象が生じて正確な信号入力が行われて無いといった問題があった。
【０００７】
ワイヤレスパソコンシステムにおいては、アンテナ素子５３からより大きな送信出力で高周波信号を発信するようにした場合に、それぞれの機器において消費電力も大きくなる。ワイヤレスパソコンシステムにおいては、ワイヤレス化によりキーボード装置５０もバッテリ駆動されるようになるが、バッテリの寿命も短くなって頻繁に充電操作が必要となる。
【０００８】
したがって、本発明は、指向特性領域を拡張してパソコンに対して正確な信号入力が行われるようにして信頼性の向上を図るワイヤレスキーボード装置を提供することを目的とする。
【０００９】
【課題を解決するための手段】
上述した目的を達成する本発明にかかるワイヤレスキーボード装置は、無線入出力部とアンテナを備えてコンピュータに対してキー操作に基づく高周波信号を無線で出力をする。ワイヤレスキーボード装置は、筐体の背面に沿って長さ方向のほぼ全域に亘る長さを有するアンテナ素子を搭載する。
【００１０】
以上のように構成された本発明にかかるワイヤレスキーボード装置によれば、使い勝手上パソコンと対向するとともに操作者の手等によって覆われることが無く比較的大きな領域を有する筐体の背面全体を利用することによって、大きな長さを有するアンテナ素子が搭載される。ワイヤレスキーボード装置によれば、かかるアンテナ素子によって広い指向特性領域を以ってキー操作に基づく高周波信号を出力することから、パソコンとの間において各種信号の授受が正確に行われるようにする。
【００１１】
【発明の実施の形態】
以下、本発明の実施の形態について図面を参照して詳細に説明する。実施の形態として図１に示したワイヤレスキーボード装置（以下、キーボード装置と略称する。）１も、基本的な構成を上述した従来のキーボード装置５０と同様としており、例えば搬送周波数帯域が２．４ＧＨｚ、１０ｍ程度の近距離エリア内において１Ｍビット／秒の伝送速度で各種のデータ情報等を送受信するブルートゥース（Ｂｌｕｅｔｏｏｈ）システムに準拠してパソコンと無線接続されてキー操作に基づくキー信号を無線で出力する。なお、キーボード装置１は、例えば５ＧＨｚ帯域の狭域無線システム等の適宜の無線システムに準拠するようにしてもよい。
【００１２】
キーボード装置１には、横長矩形の筐体２の上面３に、文字、数字或いは記号等を入力するための多数個のキー４が所定の配列を以って設けられている。キーボード装置１には、図示しないが筐体２の内部に、各キー４にそれぞれ相対向する多数個のキースイッチを搭載したスイッチ基板や、制御回路部或いは入出力制御部等が備えられるとともに、無線送受信部やベースバンド処理回路等が設けられている。キーボード装置１には、通常の使用状態においてパソコンと対向される筐体２の背面５に、長さ方向のほぼ全域に亘る長さを有するアンテナ素子６が組み込まれている。
【００１３】
アンテナ素子６は、詳細を省略するが、例えば両端部が無線送受信部の出力端と接続されるとともに背面５に沿ってループ状に引き回されて構成されたループアンテナや、一端部が無線送受信部の出力端と接続されるとともに自由端が背面５に沿って延長されたリニアアンテナ等の適宜のアンテナによって構成される。
【００１４】
アンテナ素子６は、大きな有効長を有することによって、より大きな放射電界を以って高周波信号を放射する。したがって、アンテナ素子６は、図２に示した水平指向特性のように、高周波信号の低放射電界領域（低感度領域）も外側へと大きく拡張され、パソコン側においてアンテナ素子７の位置に関わらず高周波信号の受信を可能とするようにする。
【００１５】
以上のように構成されたキーボード装置１においては、キー４の押圧操作に基づくキー信号が無線送受信部に入力されて高周波信号に変換され、この高周波信号をアンテナ素子７から放射する。キーボード装置１は、上述したように有効長が大きなアンテナ素子６を搭載することによって、低電力消費を保持しながら高出力特性を以って高周波信号を無線出力する。キーボード装置１は、アンテナ素子６を、使用状態においてパソコンと直接対向するとともに使用中でも操作者の手等により覆われることが無い筐体背面５に設けたことによって、パソコンに対して高周波信号が良好に飛ばされるように構成される。
【００１６】
キーボード装置１においては、上述した充分な長さを有するアンテナ素子６を搭載することにより出力したキー信号が、デザイン上大型のアンテナ素子７を搭載することが困難なパソコン側において正確に受信されるようにする。また、キーボード装置１は、例えば使用者に手持ちでキー操作が行われてパソコンとの相対位置が変わるような特殊な使用形態であっても、キー信号がパソコン側において正確に受信されるようにする。
【００１７】
【発明の効果】
以上詳細に説明したように、本発明にかかるワイヤレスキーボード装置によれば、使い勝手上パソコンと対向するとともに操作者の手等によって覆われることが無く比較的大きな領域を有する筐体の背面に長さ方向のほぼ全域に亘る長さを有すること指向特性領域を拡張されたアンテナ素子を搭載することにより、大型化或いは高電力消費化すること無く、キー操作に基づいて出力された高周波信号が、パーソナルコンピュータの設置位置にかかわらず正確に受信されることを可能とする。
【図面の簡単な説明】
【図１】本発明の実施の形態として示すワイヤレスキーボード装置の要部背面斜視図である。
【図２】同ワイヤレスキーボード装置のアンテナ素子から出射される高周波信号の水平指向特性の説明図である。
【図３】従来のワイヤレスキーボード装置の要部背面斜視図である。
【図４】同ワイヤレスキーボード装置のアンテナ素子から出射される高周波信号の水平指向特性の説明図である。
【符号の説明】
１        キーボード装置
２        筐体
３        上面
４        キー
５        背面
６        アンテナ素子
【図１】
2005025250.tif 000003
【図２】
2005025250.tif 000004
【図３】
2005025250.tif 000005
【図４】
2005025250.tif 000006